(57)【要約】      （修正有）【課題】使用者が直接自分の虹彩を観察しながら、鮮明に自分の虹彩を撮影できるようにする虹彩撮影装置を提供する。【解決手段】虹彩撮影装置１００は、本体部１１０と、本体部と結合して使用者が自分の虹彩を観察できるように設けられたディスプレイ部１２０、そして、本体部上で使用者の視角水平軸に位置し、使用者の虹彩を撮影して使用者虹彩イメージを獲得するカメラ部１３０を含む。使用者は、自分の虹彩の映像をディスプレイ部を通じて観察しながらカメラ部を利用して直接自分の虹彩を鮮明に撮影することができる。【選択図】図２
2019103079.tif 000002
【特許請求の範囲】
【請求項１】
虹彩撮影装置において、
本体部；
前記本体部と結合して使用者が自分の虹彩を観察できるように設けられたディスプレイ部；および
前記本体部上で前記使用者の虹彩を撮影できるように設けられて使用者虹彩イメージを獲得するカメラ部を含むことを特徴とする、虹彩撮影装置。
【請求項２】
前記ディスプレイ部は間隔調節が可能であり、前記カメラ部は前記使用者の視角水平軸に位置し、前記カメラ部が撮影した前記使用者の虹彩の映像が前記ディスプレイ部に表示されることを特徴とする、請求項１に記載の虹彩撮影装置。
【請求項３】
前記ディスプレイ部は、前記カメラ部が前記使用者の虹彩撮影時に一定照度を有する白色画面を表示して面照明の機能を遂行することを特徴とする、請求項１に記載の虹彩撮影装置。
【請求項４】
前記ディスプレイ部は、前記使用者と関連した使用者情報および前記虹彩撮影装置と関連した装置情報のうち少なくともいずれか一つ以上の情報を表示する第１ディスプレイモジュール；
前記本体部の外面に設けられて前記使用者虹彩イメージを表示する第２ディスプレイモジュール；および
前記本体部の内面に設けられて前記使用者虹彩イメージを表示する第３ディスプレイモジュールを具備することを特徴とする、請求項１に記載の虹彩撮影装置。
【請求項５】
前記カメラ部は、
前記使用者の左眼または右眼の虹彩を撮影するカメラモジュールと、
前記カメラ部を時計方向または反時計方向に１８０度回転させて前記カメラモジュールが撮影した眼球の反対側の眼球の虹彩を撮影するための第１シャッターおよび第２シャッターを具備することを特徴とする、請求項１に記載の虹彩撮影装置。
【請求項６】
照明機能を遂行する照明部をさらに含み、
前記照明部は一定時間の間隔で前記カメラ部または前記ディスプレイ部の周囲を回転しながら照明機能を遂行し、
前記カメラ部は前記一定時間の間隔毎に前記使用者の虹彩を撮影して連続的に使用者虹彩イメージを獲得することを特徴とする、請求項５に記載の虹彩撮影装置。
【請求項７】
前記ディスプレイ部、カメラ部および照明部を制御する制御部をさらに含み、
前記制御部は、
前記ディスプレイ部に表示される映像の倍率を調節する倍率調節モジュール；
前記ディスプレイ部に表示される映像の焦点を調節する焦点調節モジュール；
前記ディスプレイ部に表示される前記使用者虹彩イメージを前記ディスプレイ部の中心に位置するように調節する位置調節モジュール；
前記照明部が提供する照明の明るさを一定に調節する明るさ調節モジュール；および
前記カメラモジュールを制御するカメラモジュールシャッターを具備することを特徴とする、請求項６に記載の虹彩撮影装置。
【請求項８】
前記使用者虹彩イメージに基づいて前記使用者の健康状態を診断する虹彩分析部をさらに含むことを特徴とする、請求項１に記載の虹彩撮影装置。
【請求項９】
前記虹彩分析部は、
虹彩地図データが既保存された保存モジュール；および
前記虹彩地図データと前記使用者虹彩イメージとを比較して、前記使用者の過去の病歴情報、現在の病気情報および遺伝的素因の疾患予測情報のうち少なくともいずれか一つ以上の情報を含む前記使用者の健康情報を生成する分析モジュールを具備することを特徴とする、請求項８に記載の虹彩撮影装置。
【請求項１０】
前記分析モジュールは、人工知能の形態で具現されてディープランニング技法を活用した機械学習を通じて、前記虹彩地図データと前記使用者虹彩イメージとを比較分析して、前記使用者の過去の病歴情報、現在の病気情報および遺伝的素因の疾患予測情報のうち少なくともいずれか一つ以上の情報を含む前記使用者の健康情報を生成することを特徴とする、請求項９に記載の虹彩撮影装置。
【請求項１１】
前記本体部は、前記使用者の顔と接触する接触部材を具備するものの、前記使用者の身体に着脱可能な形態に形成されることを特徴とする、請求項１に記載の虹彩撮影装置。
【請求項１２】
請求項１に記載された虹彩撮影装置を含み、前記虹彩撮影装置から前記使用者虹彩イメージの伝送を受けて、前記使用者虹彩イメージを分析して前記使用者の健康状態を診断する分析装置をさらに含むことを特徴とする、虹彩分析システム。
【発明の詳細な説明】
【技術分野】
【０００１】
本発明は虹彩撮影装置およびこれを利用した虹彩分析システムに関するもので、より詳細には使用者が直接自分の虹彩の映像を見ながら自分の虹彩を鮮明に撮影できるようにする虹彩撮影装置と撮影した虹彩イメージを分析できる虹彩分析システムに関するものである。
【背景技術】
【０００２】
虹彩は瞳孔の周囲組織であって、目に入ってくる光の量を調節する絞りの役割を遂行する。虹彩は損傷する確率が低く、複製が不可能であるため、従来から虹彩認識分野の発展が急速に進められている。特に、虹彩の場合、特定の人が有する虹彩と他の人が有する虹彩とが同じである確率は１０億分の１に過ぎないと言われている。
【０００３】
人それぞれで異なる虹彩には、該当虹彩を有する人の健康情報も含まれており、これを把握するための技術も虹彩認識技術と共に発展し続けている。虹彩を通して人の健康情報または病歴が分かる学問である虹彩学（Ｉｒｉｄｏｌｏｇｙ）は、アメリカですでに１００年を越える学問歴史を有しており、最近では図１に図示した通り、虹彩の特定部位に現れる現象を分析して該当虹彩を有する人の健康状態を診断できるようにした虹彩分析表示図（虹彩地図）も容易に手に入れることができる。したがって、医師だけでなく一般の人々も自分の虹彩を見ながら体内臓器の病気の診断と、病気の回復状態などを確認することができるようになった。
【０００４】
一方、特定の人が鏡で自分の虹彩を見て自分の虹彩を分析したり、直接自分の虹彩を撮影して虹彩を分析することは限界が存在するので、従来は特定の人が自分の虹彩を分析して健康状態を診断するためには、まず他人が自分の虹彩写真を鮮明に撮影しなければならなかった。
【０００５】
したがって、従来は、撮影者が被撮影者（被検査者）の目を大きく開けさせた後、虹彩撮影用のカメラを利用して被撮影者の虹彩に焦点を合わせて虹彩の撮影を行った。しかし、このような場合、撮影者と被撮影者が互いにタイミングを合わせることが難しいため多様な揺れの問題が発生し、その結果、従来の虹彩撮影方式は鮮明な被撮影者の虹彩写真を取得し難い問題点があった。
【０００６】
また、従来の一般的な虹彩撮影用カメラはＬＥＤを利用して１点または２点照明を使っていた。したがって、撮影者が従来の一般的な虹彩撮影用カメラで被撮影者の虹彩を撮影すると、撮影した虹彩イメージの一部にＬＥＤ照明が反射して写っていた。したがって、ＬＥＤ照明が反射したまま撮影された虹彩部分は分析が不可能となっていた。
【０００７】
その結果、従来の一般的な虹彩撮影用カメラを使った虹彩撮影方法とこれを利用した虹彩分析方法は、虹彩分析を通じての健康状態の診断の正確性を低下させる問題を有していた。
【発明の概要】
【発明が解決しようとする課題】
【０００８】
本発明は前記した問題点を解決するために案出されたものであって、本発明が達成しようとする主な技術的課題は、使用者が直接自分の虹彩を観察しながら、鮮明に自分の虹彩を撮影できるようにする虹彩撮影装置を提供することである。
【０００９】
また、本発明が達成しようとする他の技術的課題は、照明を利用して虹彩を撮影しても、撮影した虹彩イメージに照明が反射した部分が無いようにして鮮明なイメージを得る虹彩撮影装置を提供することである。
【００１０】
また、本発明が達成しようとするさらに他の技術的課題は、虹彩撮影装置を通じて撮影した虹彩イメージを分析する虹彩分析システムを提供することである。
【００１１】
本発明が達成しようとする技術的課題は以上で言及した技術的課題に制限されず、言及されていないさらに他の技術的課題は下記の記載から本発明が属する技術分野で通常の知識を有する者に明確に理解できるであろう。
【課題を解決するための手段】
【００１２】
前記技術的課題を解決するために本発明の一実施例は、虹彩撮影装置において、本体部と、前記本体部と結合して使用者が自分の虹彩を観察できるように設けられたディスプレイ部、そして、前記本体部上で前記使用者の虹彩を撮影できるように設けられて使用者虹彩イメージを獲得するカメラ部を含む虹彩撮影装置を提供する。
【００１３】
本発明の一実施例において、前記ディスプレイ部と前記カメラ部の間隔調節が可能であり、前記カメラ部は前記使用者の視角水平軸に位置し、前記カメラ部が撮影した前記使用者の虹彩の映像が前記ディスプレイ部に表示され得る。
【００１４】
本発明の一実施例において、前記ディスプレイ部は、前記カメラ部が前記使用者の虹彩撮影時に一定照度の白色画面を表示して面照明の機能を遂行することができる。
【００１５】
本発明の一実施例において、前記ディスプレイ部は、前記使用者と関連した使用者情報および前記虹彩撮影装置と関連した装置情報のうち少なくともいずれか一つ以上の情報を表示する第１ディスプレイモジュールと、前記本体部の外面に設けられて前記使用者虹彩イメージを表示する第２ディスプレイモジュール、そして、前記本体部の内面に設けられて前記使用者虹彩イメージを表示する第３ディスプレイモジュールを具備することができる。
【００１６】
本発明の一実施例において、前記カメラ部は、被撮影者の虹彩撮影時に撮影装置を左、右に１８０度回して左右の区分なく撮影できるようにし、装置の内部にＧセンサーを内蔵してそれぞれのディスプレイ上にＲｉｇｈｔまたはＬｅｆｔに左眼と右眼を正確に区分できるようにすることによって、診断時に混同しないようにすることができる。これは虹彩分析において、非常に重要な事項であり得る。
【００１７】
前記使用者の左眼または右眼の虹彩を同時に撮影するカメラモジュールと前記カメラモジュールが撮影した眼球の反対側の眼球の虹彩を撮影する第２カメラモジュールを具備することができる。
【００１８】
本発明の一実施例において、照明機能を遂行する照明部をさらに含むことができ、前記照明部は一定な角度および時間間隔で前記カメラ部の周囲を回転しながら照明機能を遂行し、前記カメラ部は前記照明部と同期化して一定時間の間隔毎に前記使用者の虹彩を撮影して連続的に使用者虹彩イメージを獲得することができる。
【００１９】
本発明の一実施例において、前記ディスプレイ部、カメラ部および照明部を制御する制御部をさらに含むことができ、前記制御部は、前記ディスプレイ部に表示される映像の倍率を調節する倍率調節モジュールと、前記ディスプレイ部に表示される映像の焦点を調節する焦点調節モジュールと、前記ディスプレイ部に表示される前記使用者虹彩イメージを前記ディスプレイ部の中心に位置するように調節する位置調節モジュールと、前記照明部が提供する照明の明るさを一定に調節する明るさ調節モジュールと、前記カメラモジュールを制御するカメラシャッターを具備することができる。
【００２０】
本発明の一実施例において、前記使用者虹彩イメージに基づいて前記使用者の健康状態を診断する虹彩分析部をさらに含むことができる。
【００２１】
本発明の一実施例において、前記虹彩分析部は、虹彩地図データが既保存された保存モジュールおよび前記虹彩地図データと前記使用者虹彩イメージを比較して前記使用者の病気に対する遺伝因子情報を抽出して、過去の病歴情報、現在の病気情報および遺伝的素因の疾患予測情報のうち少なくともいずれか一つ以上の情報を含む、前記使用者の健康情報を生成する分析モジュールを具備することができる。
【００２２】
本発明の一実施例において、前記分析モジュールは、人工知能の形態で具現されてディープランニング技法を活用した機械学習を通じて、前記虹彩地図データと前記使用者虹彩イメージを比較分析して前記使用者の病気に対する遺伝因子情報を抽出して、過去の病歴情報、現在の病気情報および遺伝的素因の疾患予測情報のうち少なくともいずれか一つ以上の情報を含む、前記使用者の健康情報を生成することができる。
【００２３】
本発明の一実施例において、前記本体部は、前記使用者の顔と接触する接触部材を具備するものの、前記使用者の身体に着脱可能な形態に形成され得る。
【００２４】
前記技術的課題を解決するための本発明の他の実施例は、前述した本発明の一実施例に係る虹彩撮影装置を含み、前記虹彩撮影装置から前記使用者虹彩イメージをＷｉ−Ｆｉなどの無線または有線でスマートフォンやコンピュータなどの分析装置に伝送を受け、前記使用者虹彩イメージを分析して前記使用者の健康状態を診断する分析装置をさらに含む、虹彩分析システムを提供する。
【発明の効果】
【００２５】
本発明によると、使用者は自分の虹彩の映像をディスプレイ部を通じて観察しながらカメラ部を利用して直接自分の虹彩を鮮明に撮影することができる。
【００２６】
また、本発明によると、照明を利用して虹彩を撮影しても照明が反射した部分がない使用者虹彩イメージを獲得することができる。
【００２７】
また、本発明によると、虹彩撮影装置を通じて獲得した鮮明な使用者虹彩イメージに基づいて虹彩分析の正確度と信頼度を高めることができる。
【００２８】
また、本発明によると、虹彩撮影装置を双眼鏡の形態に具現することによって、使用者が虹彩撮影装置を容易に着脱することができる。
【００２９】
本発明の効果は、前記した効果に限定されるものではなく、本発明の詳細な説明または特許請求の範囲に記載された発明の構成から推論可能なすべての効果を含むものと理解されるべきである。
【図面の簡単な説明】
【００３０】
【図１】従来の虹彩分析表示図（虹彩地図）を図示した図面。
【図２】本発明の一実施例に係る虹彩撮影装置の構成を図示したブロック図。
【図３】本発明の一実施例に係る虹彩撮影装置の具現例示モデルの構造を図示した図面。
【図４】本発明の一実施例により撮影される使用者の瞳孔を基準として設定された軸を説明するために図示した図面。
【図５】本発明の一実施例に係る虹彩撮影装置を利用した虹彩分析システムの構成を図示した図面。
【発明を実施するための形態】
【００３１】
以下、添付した図面を参照して本発明を詳細に説明する。しかし、本発明は様々な異なる形態で具現され得、したがってここで説明する実施例に限定されるものではない。また、添付された図面は、本明細書に開示された実施例を容易に理解できるようにするためのものに過ぎず、添付された図面によって本明細書に開示された技術的思想は制限されず、本発明の思想および技術範囲に含まれるすべての変更物、均等物乃至代替物を含むものと理解されるべきである。そして、図面において本発明を明確に説明するために説明と関係のない部分は省略し、図面に示した各構成要素の大きさ、形態、形状は多様に変形され得、明細書全体に亘って同一／類似する部分については同一／類似する図面符号を付した。
【００３２】
以下の説明で使われる構成要素に対する接尾辞「モジュール」および「部」は、明細書作成の容易さだけを考慮して付与するか混用するものであって、それ自体で互いに区別する意味または役割をするものではない。また、本明細書に開示された実施例を説明するにおいて関連した公知の技術に対する具体的な説明が本明細書に開示された実施例の要旨を曖昧にする恐れがあると判断される場合、その詳細な説明を省略した。
【００３３】
明細書全体において、ある部分が他の部分と「連結（接続、接触または結合）」されているとする時、これは「直接的に連結（接続、接触または結合）」されている場合だけでなく、その中間に他の部材を挟んで「間接的に連結（接続、接触または結合）」されている場合も含む。また、ある部分がある構成要素を「含む（具備または設ける）」とする時、これは特に反対の記載がない限り、他の構成要素を除外するものではなく他の構成要素をさらに「含む（具備または設ける）」ことができることを意味する。
【００３４】
本明細書で用いられる用語は単に特定の実施例を説明するために用いられるものであって、本発明を限定しようとする意図ではない。単数の表現は文脈上明白に異なることを意味しない限り、複数の表現を含み、分散して実施される構成要素は特に制限がない限り、結合した形態で実施されてもよい。本明細書で、「含む」または「有する」等の用語は、明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加可能性をあらかじめ排除しないものと理解されるべきである。
【００３５】
また、本明細書で用いられる第１、第２等のような序数を含む用語は、多様な構成要素の説明に用いられ得るが、前記構成要素は前記用語によって限定されるものではない。前記用語は、一つの構成要素を他の構成要素から区別する目的でのみ用いられ得る。例えば、本発明の権利範囲を逸脱することなく第１構成要素は第２構成要素と命名され得、同様に第２構成要素も第１構成要素と命名され得る。
【００３６】
図２は本発明の一実施例に係る虹彩撮影装置（以下、「虹彩撮影装置１００」という）の構成を図示したブロック図であり、図３は虹彩撮影装置１００の具現例示モデルの構造を図示した図面であって、図３には図２に図示された虹彩撮影装置１００の一部の構成要素が除外されている場合もある。
【００３７】
また、図４は本発明の一実施例により撮影される使用者の瞳孔を基準として設定された軸を説明するために図示した図面であり、以下では図２〜図４を参照して虹彩撮影装置１００を詳細に説明する。
【００３８】
図２に図示された通り、虹彩撮影装置１００は、本体部１１０、ディスプレイ部１２０、カメラ部１３０を含み、その他にも、照明部１４０、制御部１５０および分析部１６０をさらに含むことができる。
【００３９】
本体部１１０は、虹彩撮影装置１００を使う被検査者（以下「使用者」という）の身体に着脱可能なメガネの形状に形成され得る。メガネの形状には制限がなく、例えば本体部１１０はゴーグルの形態または双眼鏡の形態に形成され得る。また、本体部１１０は別途の顔面接触部材１１１または手段を具備し、使用者の身体、特に、目の周囲領域に密着することができる。
【００４０】
ディスプレイ部１２０は本体部１１０に結合され得、使用者、検査者または第三者が使用者の虹彩を観察できるように設けられ得る。
【００４１】
また、ディスプレイ部１２０はカメラ部１３０の上部に位置することができ、本体部１１０に内蔵することもできる。例えば、ディスプレイ部１２０はメガネのレンズ状に形成されて本体部１１０に装着され得る。
【００４２】
このようなディスプレイ部１２０は、使用者と関連した使用者情報および虹彩撮影装置１００と関連した装置情報のうち少なくともいずれか一つ以上の情報を表示する第１ディスプレイモジュール１２１と、本体部１１０の外面に設けられて使用者虹彩イメージを表示する第２ディスプレイモジュール１２２と、本体部１１０の内面に設けられて使用者虹彩イメージを表示する第３ディスプレイモジュール１２３を具備することができる。
【００４３】
ここで、本体部１１０の内面は使用者の目に接する面であり得、外面はその反対面であり得る。また、使用者関連情報とは、使用者の年齢、身長、名前情報などを含む既設定された情報であり得、装置関連情報とは、どちら側が左側または右側であるかに関する位置情報（例えばＲｉｇｈｔ、Ｌｅｆｔで表示）、時間、画質または画素情報を含むルクス（Ｌｕｘ）情報などを含む既設定された情報であり得る。
【００４４】
カメラ部１３０も本体部１１０に結合され得、使用者の虹彩が撮影できるように設けられて使用者虹彩イメージを獲得する。ここで、カメラ部１３０が撮影する使用者の虹彩の映像はディスプレイ部１２０を通じて使用者に提供され得る。
【００４５】
また、カメラ部１３０は本体部１１０上で使用者の視角水平軸に位置することができる。ここで視角水平軸とは、図４に図示された通り、使用者の両瞳孔を基準として垂直水平軸を意味し得る。この時、前述した通り、ディスプレイ部１２０はカメラ部１３０の上部に位置することができるが、カメラ部１３０がディスプレイ部１２０上に設けられてもよい。
【００４６】
虹彩撮影装置１００を使用者が着用した場合、ディスプレイ部１２０はカメラ部１３０が撮影する使用者の虹彩の映像を表示することができる。
【００４７】
これに加えて、カメラ部１３０は使用者の左眼および右眼がそれぞれ撮影できるように使用者の左眼または右眼の虹彩を撮影するカメラモジュール１３１を具備することができる。例えば、カメラモジュール１３１は、使用者の左眼と右眼を撮影してこれをディスプレイ部１２０を通じて表示することができる。これを具現するために、カメラ部１３０はカメラ部１３０を時計方向または反時計方向に１８０度回転させてカメラモジュール１３１が撮影した眼球の反対側の眼球の虹彩を撮影するために、別途の駆動ボタンまたはカメラシャッター１３２をカメラ部１３０の一側または他側（例えば上面と下面）に一つ以上具備することができる。
【００４８】
例えばカメラ部１３０は、カメラ部１３０を時計方向または反時計方向に１８０度回転させてカメラモジュール１３１が撮影した眼球の反対側の眼球の虹彩を撮影するための第１シャッターおよび第２シャッターを具備することができる。
【００４９】
したがって、使用者は、ディスプレイ部１２０に示された自分の虹彩の映像を見ながらカメラ部１３０を利用して自分の虹彩を撮影して使用者虹彩イメージを獲得することができ、また、使用者は以下で説明される制御部１５０を利用してさらに精密かつ鮮明に自分の虹彩を観察したり撮影することができる。
【００５０】
また、虹彩撮影装置１００はディスプレイ部１２０とカメラ部１３０がなす角度が調節されるように具現され得る。
【００５１】
虹彩撮影装置１００は、ディスプレイ部１２０の間隔を調節するための別途のダイヤル（図示しない）と使用者の虹彩を撮影して使用者虹彩イメージを獲得するカメラ部１３０を操作する別途のボタンを具備することができることはもちろんであり、これと関連した制御部１５０についての説明は後述する。
【００５２】
また、ディスプレイ部１２０はカメラ部１３０が使用者の虹彩を撮影する時、一定の照度を有する白色画面を表示することができる。好ましくは、低照度を有するように白色画面が具現され得る。低照度白色画面が表示されたディスプレイ部１２０は面照明の機能を遂行することができる。したがって、カメラ部１３０は低照度白色画面が表示されたディスプレイ部１２０を利用してさらに鮮明な使用者虹彩イメージを獲得することができる。
【００５３】
これに加えて、虹彩撮影装置１００はディスプレイ部１２０とカメラ部１３０の周囲に半透明な素材（図示しない）を設け、半透明な素材（図示しない）の外部には照明を設定し、半透明な素材（図示しない）の内部には無反射処理をすることができる。これを通じて、使用者の眼球で照明が反射しないようにすることができる。
【００５４】
本発明の一具現例として、虹彩撮影装置１００はディスプレイ部１２０とカメラ部１３０のそれぞれを一つ以上含むことができる。例えば、虹彩撮影装置１００がゴーグル形状に具現された場合、ディスプレイ部１２０は使用者の左眼の虹彩と右眼の虹彩をそれぞれ観察することができるように左眼の虹彩観察用ディスプレイモジュール（図示しない）と、右眼の虹彩観察用ディスプレイモジュール（図示しない）を具備することができ、カメラ部１３０も使用者の左眼の虹彩と右眼の虹彩をそれぞれ撮影して使用者の左眼の虹彩イメージと使用者の右眼の虹彩イメージを獲得できるように左眼の虹彩撮影用カメラモジュール（図示しない）と右眼の虹彩撮影用カメラモジュール（図示しない）を具備することができる。この時、左眼の虹彩観察用ディスプレイモジュール（図示しない）と右眼の虹彩観察用ディスプレイモジュール（図示しない）は、それぞれメガネのレンズ状に具現されて虹彩撮影装置１００に装着され得る。
【００５５】
照明部１４０は照明機能を遂行し、照明機能を遂行する別途の光源を具備することができる。例えば照明部１４０はＬＥＤ光源を提供する一つ以上のＬＥＤランプ（図示しない）を具備することができる。
【００５６】
また、照明部１４０は一定時間の間隔でカメラ部１３０またはディスプレイ部１２０の周囲を回転しながら照明機能を遂行することができる。この時、カメラ部１３０は照明部１４０の回転に合わせて、照明部１４０が回転する一定時間の間隔毎に使用者の虹彩を撮影する連続的虹彩撮影方法を遂行することによって、連続的に使用者虹彩イメージを獲得することができる。ここで連続的使用者虹彩イメージは、単一の使用者虹彩イメージではなく前述した一定時間の間隔毎に撮影された使用者虹彩イメージが、多数個からなる連続的なイメージ群を意味する。
【００５７】
すなわち、照明部１４０は一定の角度および時間間隔でカメラ部１３０の周囲を回転しながら照明機能を遂行することができ、このとき、カメラ部１３０は照明部１４０と同期化して一定時間の間隔毎に前記使用者の虹彩を撮影して連続的に使用者虹彩イメージを獲得することができる。
【００５８】
本発明の一具現例として、照明部１４０は８個のＬＥＤランプを具備し、８個のＬＥＤランプはディスプレイ部１２０およびカメラ部１３０の周囲を円形に囲むように設けられ得る。この時、８個のＬＥＤランプは互いに向かい合うＬＥＤランプを一対にして、ＬＥＤランプ１群、ＬＥＤランプ２群、ＬＥＤランプ３群、ＬＥＤランプ４群に設定することができ、照明部１４０はディスプレイ部１２０およびカメラ部１３０の周囲を回転しながら１００ｍｓｅｃ間隔で各ＬＥＤランプ群を点滅させることができる。例えば、照明部１４０は、ディスプレイ部１２０およびカメラ部１３０の周囲を回転しながら１００ｍｓｅｃ間隔で１個のＬＥＤランプ群だけを点灯し、残りのＬＥＤランプ群は滅灯することができるが、これに制限されるものではない。
【００５９】
ＬＥＤランプの個数と時間間隔、点滅方法は多様に変形して実施され得る。
カメラ部１３０が獲得した使用者虹彩イメージと連続的使用者虹彩イメージはディスプレイ部１２０を通じて表示することができる。したがって、使用者は自分の虹彩を継続的に撮影し、単一の使用者虹彩イメージを継続的に獲得して鮮明な自分の虹彩イメージを選択的に獲得することができ、前述した連続的虹彩撮影方法を通じて獲得した連続的使用者虹彩イメージのうち自分が望む使用者虹彩イメージを獲得することもできる。
【００６０】
また、虹彩撮影装置１００は、前述した連続的虹彩撮影方法を通じて獲得した連続的使用者虹彩イメージのうち使用者の虹彩に照明が反射して撮影された使用者虹彩イメージは削除し、使用者の虹彩が明らかで鮮明に写った使用者虹彩イメージだけを使用者に提供することができる。
【００６１】
再び図２を参照すると、前述したように、虹彩撮影装置１００はディスプレイ部１２０、カメラ部１３０および照明部１４０を制御する制御部１５０をさらに含むことができる。
【００６２】
具体的には、制御部１５０はディスプレイ部１２０またはカメラ部１３０に表示される映像の倍率を調節する倍率調節モジュール１５１、ディスプレイ部１２０またはカメラ部１３０に表示される映像の焦点を調節する焦点調節モジュール１５２、ディスプレイ部１２０またはカメラ部１３０に表示される使用者虹彩イメージをディスプレイ部１２０またはカメラ部１３０の中心に位置するように調節する位置調節モジュール１５３、照明部１４０が提供する照明の明るさを調節する明るさ調節モジュール１５４、カメラモジュール１３１を制御するカメラ制御モジュール１５５を具備することができる。
【００６３】
本発明の一具現例として、位置調節モジュール１５３はディスプレイ部１２０またはカメラ部１３０に表示される使用者虹彩イメージのうち瞳孔の間隔を調節する役割を遂行することができ、カメラ制御モジュール１５５はカメラモジュール１３１の撮影、作動などを制御する使用者入力ボタンの形態に形成され得る。
【００６４】
虹彩分析部１６０は、使用者虹彩イメージに基づいて使用者の健康状態を分析し診断し、保存モジュール１６１と分析モジュール１６２を具備することができる。
【００６５】
保存モジュール１６１は、カメラ部１３０を通じて獲得した使用者虹彩イメージ、連続的使用者虹彩イメージおよび虹彩地図データのうち少なくともいずれか一つ以上を保存することができる。
【００６６】
虹彩地図データは、図１に図示されたような虹彩分析表示図を意味し得るが、これに制限されるものではない。したがって、ここで言う虹彩地図データとは、虹彩を利用して過去の病歴、現在の疾患、生まれつきに素質または気質、健康状態などを分析するのに役に立つすべての情報を総称するものと解釈されるべきである。
【００６７】
分析モジュール１６２は、虹彩地図データと使用者虹彩イメージとを比較して使用者虹彩イメージを分析し、前記使用者の病気に対する遺伝因子情報を抽出して、使用者の過去の病歴情報、現在の病気情報および疾患予測情報のうち少なくともいずれか一つ以上の情報を含む使用者の健康情報を生成する。疾患予測情報は遺伝的素因の疾患予測情報であり得る。
【００６８】
このような分析モジュール１６２は人工知能の形態で具現され得る。例えば、分析モジュール１６２は、機械学習を利用して保存モジュール１６１に既保存された虹彩地図データとカメラ部１３０を通じて獲得した使用者虹彩イメージとを比較して使用者虹彩イメージを分析することができ、使用者の健康情報を生成することができる。この時、遂行される機械学習はディープランニング（Ｄｅｅｐ  Ｌｅａｒｎｉｎｇ）技法を利用することができる。
【００６９】
また、分析モジュール１６２は虹彩分析プログラムまたはソフトウェアで具現され得、ここで虹彩分析プログラムまたはソフトウェアは別途のコンピュータ可読記録媒体で形成されてもよい。コンピュータ可読記録媒体の例には、ハードディスク、フロッピーディスクおよび磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびロム（ＲＯＭ）、ラム（ＲＡＭ）、フラッシュメモリなどのようなプログラム命令を保存し遂行するように特別に構成されたハードウェア装置が含まれる。
【００７０】
これまで説明した虹彩撮影装置１００は、ヘッドマウントディスプレイ（Ｈｅａｄ  Ｍｏｕｎｔ  Ｄｉｓｐｌａｙ）の形態で具現され得る。
【００７１】
図５は、虹彩撮影装置１００を利用した虹彩分析システム（以下「虹彩分析システム１０００」）の構成を図示した図面である。
【００７２】
虹彩分析システム１０００は虹彩撮影装置１００と分析装置３００とを含み、虹彩撮影装置１００と分析装置３００とを連結する連結装置２００をさらに含むことができる。虹彩撮影装置１００に関する説明は、前記において図２を参照して詳細に説明したので以下では説明を省略する。
【００７３】
虹彩撮影装置１００の外部に設けられる分析装置３００は、虹彩撮影装置１００が獲得した使用者虹彩イメージの伝送を受けて使用者の健康状態を診断する装置であって、前述した虹彩分析部１６０と類似する機能を遂行する。
【００７４】
すなわち、図２を参照して説明した虹彩撮影装置１００が獲得した使用者虹彩イメージを分析するために、分析モジュール１６２および分析装置３００のうちいずれか一つを活用することができる。虹彩撮影装置１００に搭載される分析モジュール１６２の大きさ、性能は限界があるので、虹彩撮影装置１００の外部に設けられる分析装置３００を利用するとさらに迅速かつ正確に虹彩分析を遂行することができる。
【００７５】
分析装置３００は、カメラ部１３０を通じて獲得した使用者虹彩イメージ、連続的使用者虹彩イメージおよび虹彩地図データのうち少なくともいずれか一つ以上を保存できる別途のデータベース（Ｄａｔａｂａｓｅ、図示しない）と、分析装置３００が具備する別途のデータベースに既保存された虹彩地図データと使用者虹彩イメージとを比較して使用者虹彩イメージを分析し、使用者の過去の病歴情報、現在の病気情報および疾患予測情報のうち少なくともいずれか一つ以上の情報を含む使用者の健康情報を生成する別途の虹彩分析モジュール（図示しない）を具備することができる。疾患予測情報は遺伝的素因の疾患予測情報であり得る。
【００７６】
分析装置３００が具備する別途の虹彩分析モジュール（図示しない）も人工知能の形態で具現され得る。例えば、分析装置３００が具備する別途の虹彩分析モジュール（図示しない）は、機械学習を利用して分析装置３００が具備する別途のデータベース（図示しない）に既保存された虹彩地図データとカメラ部１３０を通じて獲得した使用者虹彩イメージとを比較して使用者虹彩イメージを分析することができ、使用者の健康情報を生成することができる。この時、遂行される機械学習はディープランニング（Ｄｅｅｐ  Ｌｅａｒｎｉｎｇ）技法を利用することができる。
【００７７】
また、分析装置３００が具備する別途の虹彩分析モジュール（図示しない）も虹彩分析プログラムまたはソフトウェアで具現され得、ここで虹彩分析プログラムまたはソフトウェアは別途のコンピュータ可読記録媒体で形成されてもよい。
【００７８】
連結装置２００は、虹彩撮影装置１００と分析装置３００との相互間のデータの送受信を可能にする。このような連結装置２００は、ケーブルなどの有線形態またはブルートゥースチップなどの単一部品の形態で形成されて、虹彩撮影装置１００と分析装置３００とを連結することができる。例えば、連結装置２００は図５に図示された通り、ＵＳＢ  ｃａｂｌｅの形態で具現され得、虹彩撮影装置１００と結合する無線通信手段などの形態で具現され得るが、これに制限されるものではない。
【００７９】
本発明の一具現例として、虹彩分析システム１０００は、有線形態の連結装置２００を介さずに無線通信技術を利用して虹彩撮影装置１００と分析装置３００と間のデータの送受信を遂行することができる。この時、使われる無線通信技術は、ブルートゥース（Ｂｌｕｅｔｏｏｔｈ）、ジグビー（Ｚｉｇｂｅｅ）、Ｗｉ−Ｆｉ（Ｗｉｒｅｌｅｓｓ  Ｆｉｄｅｌｉｔｙ）、ＬＴＥ（Ｌｏｎｇ  Ｔｅｒｍ  Ｅｖｏｌｕｔｉｏｎ）であり得るが、必ずしもこれに制限されるものではない。
【００８０】
また、分析装置３００は図５に図示された通り、無線通信技術の使用が可能なラップトップの形態で具現され得、その他にもデスクトップ、スマートフォンなどのＰＣ形態で具現され得るが、これに制限されるものではない。
【００８１】
以上で説明した虹彩撮影装置１００および虹彩分析システム１０００と該当発明の各構成要素が遂行する機能は、連続的な手続きを有する虹彩撮影方法または虹彩分析方法で具現され得る。例えば、虹彩撮影装置１００を利用した虹彩撮影方法は、使用者が虹彩撮影装置１００を着用する段階、前記使用者が虹彩撮影装置１００を利用して自分の虹彩を撮影して使用者虹彩イメージを獲得する段階、虹彩撮影装置１００が前記使用者虹彩イメージと既保存された虹彩地図データとを比較分析して前記使用者の健康情報を生成する段階のうち必要な手続きを選択的に含むことができ、その他にも倍率を調節する過程、焦点を設定する過程などをさらに含むことができる。
【００８２】
虹彩撮影装置１００および虹彩分析システム１０００によると、使用者は自分の虹彩の映像をディスプレイ部１２０を通じて観察しながらカメラ部１３０を通じて直接自分の虹彩を鮮明に撮影することができる。また、照明を利用して虹彩を撮影しても、連続的虹彩撮影方法を通じて獲得した連続的使用者虹彩イメージのうち照明が反射した部分がない使用者虹彩イメージだけを獲得することができ、これに伴い、虹彩分析の正確度と信頼度を高めることができる。
【００８３】
前述した本発明の説明は例示のためのものに過ぎず、本発明が属する技術分野の通常の知識を有する者は、本発明の技術的思想や必須の特徴を変更することなく他の具体的な形態に容易に変形可能であることが理解できるはずである。また、本発明の範囲は後述する特許請求の範囲によって示され、特許請求の範囲の意味および範囲そしてその均等概念から導き出されるすべての変更または変形された形態が本発明の範囲に含まれるものと解釈されるべきである。
【符号の説明】
【００８４】
１１０：本体部
１１１：顔面接触部材
１２０：ディスプレイ部
１２１：第１ディスプレイモジュール
１２２：第２ディスプレイモジュール
１２３：第３ディスプレイモジュール
１３０：カメラ部
１３１：カメラモジュール
１３２：カメラシャッター
１４０：照明部
１５０：制御部
１５１：倍率調節モジュール
１５２：焦点調節モジュール
１５３：位置調節モジュール
１５４：明るさ調節モジュール
１５５：カメラ制御モジュール
１６０：分析部
１６１：保存モジュール
１６２：分析モジュール
２００：連結装置
３００：分析装置
【図１】
2019103079.tif 000003
【図２】
2019103079.tif 000004
【図３】
2019103079.tif 000005
【図４】
2019103079.tif 000006
【図５】
2019103079.tif 000007